(57)【要約】  製造方法は、装置のパッケージ前に、複数のランダムに分布した損傷による黒点を形成するために、少なくとも１つの有機ダイオードをガスに曝すステップを備える。曝す時間を増やすことで、黒点のサイズをランダムに大きくすることができる。電界発光により見える黒点の表面分布は、この分布に関連付けられた物体を、信頼できる方法で識別できるようにする。
2011509449.tif 000002
【特許請求の範囲】
【請求項１】
ランダムに分布した複数の識別要素（１）の形成を有する物体の識別・認証装置の製造方法であって、前記装置は少なくとも１つの有機発光ダイオードを有し、前記ダイオードを、前記装置のパッケージ前に、電界発光により見えるランダムに分布した黒点の形状の損傷による前記識別要素（１）を形成するために、前記ダイオードを少なくとも１つのガスに曝す段階を備えることを特徴とする方法。
【請求項２】
前記ガスは水蒸気であることを特徴とする請求項１に記載の方法。
【請求項３】
前記識別要素（１）の形成後に、前記装置は、不活性雰囲気で密封されたケース（casing）にパッケージされることを特徴とする請求項１又は２に記載の方法。
【請求項４】
前記パッケージケースにゲッターが配置されることを特徴とする請求項３に記載の方法。
【請求項５】
請求項１乃至４のいずれかに記載の方法で得られる識別装置であって、少なくとも１つの有機ダイオードと、電界発光で見えるランダムに分布した黒点の形状である複数の識別要素（１）とを備えることを特徴とする識別装置。
【請求項６】
前記黒点のサイズはランダムであることを特徴とする請求項５に記載の装置。
【請求項７】
スクリーンを形成する複数の有機ダイオードを備えることを特徴とする請求項６又は７に記載の装置。
【請求項８】
請求項５乃至７のいずれかに記載の装置の使用方法であって、ダイオードの電源を入れ、黒点の表面分布を測定し、この分布と、識別のために物体と関連付けられている事前に記録された画像とを比較することを特徴とする方法。
【発明の詳細な説明】
【技術分野】
【０００１】
本発明は、物体の識別・認証のための装置の製造方法に関し、装置内にランダムに分布した複数の識別素子の形成を含むものである。
【背景技術】
【０００２】
文献ＷＯ−Ａ−０１／５７８３１は、物体、植物、又は生物の識別・認証のための方法及び装置を説明する。この方法は、少なくとも２つの非混合ボディの不均一・硬化混合からのボリューム識別子（volume identifier）の生成を実行する。ボリューム識別子は、識別子の唯一性を保証する形状及び位置について、ランダム（random）で統計的に再生不能な不均一性を有する。図１に示されるように、液状又は糊状の製品とのガス状混合物の場合、この同じガスの気泡１の形状で不均一性が得られる。直径がランダムな気泡は混合物内のランダムな位置に形成され、識別要素１としての役割を果たすことができる。識別要素１はボリューム内に沈んでおり、直接触れることは出来ない。従って、紙支持体上のバーコードのように、すり減ったり傷ついたりしない。また、この方法は、固体粒子を硬化物と混合することにより実行することができ、これらの粒子の分布は製品が凝固するとランダムに固定され、識別要素を形成する。
【０００３】
識別子が作られた後、複数の一連の画像によってデジタル化され、識別子を３次元で正確に復元することを可能にする。この３次元画像はデータベースに格納される。識別子は、物体に起因する。識別子は物体を認証するために使用することが出来る。そして、３次元での復元を可能にする複数の角度によってデジタル化される。そして、データベース内のデータとの比較により識別子の信頼性を即座に検証するためにデータベースが検索される。このような３次元の識別子は改ざんすることが出来ない。しかし、異なる視覚からの一連の画像の取得後に３次元に復元するため、この識別子の使用は比較的複雑である。
【発明の概要】
【発明が解決しようとする課題】
【０００４】
本発明の目的は、物体、植物、人物、動物、またはサービスを、簡素かつ改ざん出来ないように、識別・認証する装置を提供することである。
【課題を解決するための手段】
【０００５】
本発明によれば、この目的は、装置が少なくとも１つの有機発光ダイオードを有し、方法が、前記ダイオードを、前記装置のパッケージ前に、電界発光により見えるランダムに分布した黒点の形状の損傷による識別要素（１）を形成するために、前記ダイオードを少なくとも１つのガスに曝す段階を備えるという事実により達成される。
【０００６】
また、本発明は、この方法によって得られ、表面にランダムに分布し電界発光によって見える黒点の形状の識別要素を有する有機ダイオードを備える装置に関する。
【０００７】
さらに、本発明は、ダイオードに電源を入れ、黒点の表面分布を測定し、この分布と、物体と関連付けて事前に記録された画像とを識別のために比較する、この装置の使用方法に関する。
【０００８】
他の利点及び特徴は、限定しない例示のため、かつ添付の図面で示される、以下の本発明の特定の実施形態の説明からさらに明らかになるであろう。
【図面の簡単な説明】
【０００９】
【図１】従来技術による識別子を示す図である。
【図２】本発明の実施形態の上面を示す図である。
【図３】本発明の実施形態の上面を示す図である。
【図４】本発明の実施形態の上面を示す図である。
【発明を実施するための形態】
【００１０】
図２に示される実施形態によれば、物体の認証・識別装置は複数のランダムに分布した識別要素（identification element）１を備える。このような装置は、少なくとも１つの有機発光ダイオード２を備えており、有機ダイオードを少なくとも１つのガスに曝し、ダイオードの損傷により、電界発光により可視となるランダムに分布した黒点（black spot）の形状の識別要素を形成し、損傷を止めるためにダイオードをパッケージすることにより実現される。
【００１１】
有機ダイオードに基づく識別子は、通常、少なくとも１つの電界発光による放射性の有機層により覆われたアノードとカソードとを有するもので得られる。有機ダイオードの主な欠点の１つ、すなわち湿気に対する感度が実際に使用される。有機ダイオードが空気に曝されたとき、実際にいくつかの点で損傷し、黒点を形成する。構造欠陥によるこの損傷は、有機ダイオードの製造方法がうまく習得されている場合、すなわち有機ダイオードが蒸気の状態の水が侵入することを防止する不活性雰囲気（ガス又はアルゴン）中のグローブボックス（glove-box）内で作られる場合、通常の状況下では起こらない。本発明は、識別子を形成するために、ランダムで、それゆえ再生不能な分布を示すこれらの構造欠陥を使用する。
【００１２】
黒点は、発光できなくなるピンホール形状の領域に対応する。従って、ダイオードの電源を入れたとき、通常は見えない黒点が電界発光により現れる。本発明は、有機発光ダイオードをパッケージ前に数分間環境室（environmental chamber）内で大気又は制御された雰囲気に曝すことで黒点を意図的に出現させる。
【００１３】
ダイオードは、環境室内で水蒸気に曝すことが好ましい。損傷は、有機ダイオードへの水蒸気の侵入に対応する。
【００１４】
そして、ダイオードは、例えば窒素（Ｎ２）又はアルゴン（Ａｒ）の不活性ガスを含むパッケージに封入されることが好ましい。このパッケージは、以後のダイオードへの水分子の侵入を防止する黒点の表面分布の固定を可能にする。黒点はこれ以上変更されないため、再生不能かつ偽造されないランダムなパターンを生成する。各点は、有機ダイオードベースの識別子（organic diode-based identifier）２を実現するために、識別要素１を構成する。
【００１５】
パッケージは、接着されたガラスカバーを用いた従来の方法か、又は、酸化物及び／又は窒化物及び／又はポリマー材料と共に薄層内にパッケージすることによるモノリシック（monolithic）な方法で行うことができる。ゲッター（getter）は残留湿気を吸収するために、ガラスカバーの下に配置することが好ましい。
【００１６】
ダイオードが作られたとき、大気又はガスへ有機ダイオードを曝す時間の増加により、黒点の直径を大きくすることができる。ダイオードの構造欠陥のサイズに基づいて、実際にガスの侵入は多かれ少なかれ大きく、ダイオードの損傷は多かれ少なかれ早くなる。図３に示されるように、黒点は分布し、サイズはランダムである。このさらなるランダムなサイズは、識別の安全性を極めて大きく増すことができる。
【００１７】
図４に示される別の実施形態によれば、識別子２はスクリーンを形成する棒状又はマトリクス状に配置された複数の要素的ダイオード（elemental diode）から構成することができる。これは、黒点の表面分布をさらに複雑にして、より安全性を高めることができる。要素的ダイオードの数は、例えば数百とすることができ、各要素的ダイオードはスクリーン画素を構成する。
【００１８】
このような識別子は物体を認証できるように設計される。物体が意味するものは、あらゆるタイプの植物、生物、有形財、又はサービスである。組み立てられた時点で、識別子に電源が入れられ、黒点の表面分布の画像が保存され、好ましくはデジタル化される。この画像はデータベースに事前に記録し、物体と関連付けておくことができる。物体が認証されるとき、識別子に電源が入れられ、黒点の表面分布が例えばカメラによって測定され、物体の真偽を検証するために、データベースに事前に登録された画像と比較される。
【００１９】
このような識別子は、黒点のランダムな分布により改ざんすることができない。表面分布で認証が行われ、３次元識別子よりも極めて簡便に実行できる。
【図１】
2011509449.tif 000003
【図２】
2011509449.tif 000004
【図３】
2011509449.tif 000005
【図４】
2011509449.tif 000006
【手続補正書】
【提出日】平成22年8月20日(2010.8.20)
【手続補正１】
【補正対象書類名】特許請求の範囲
【補正対象項目名】全文
【補正方法】変更
【補正の内容】
【特許請求の範囲】
【請求項１】
ランダムに分布した複数の識別要素（１）の形成を有する物体の識別・認証装置の製造方法であって、前記装置は少なくとも１つの有機発光ダイオードを有し、前記ダイオードを、前記装置のパッケージ前に、電界発光により見えるランダムに分布した黒点の形状の損傷による前記識別要素（１）を形成するために、前記ダイオードを少なくとも１つのガスに曝す段階を備えることを特徴とする方法。
【請求項２】
前記ガスは水蒸気であることを特徴とする請求項１に記載の方法。
【請求項３】
前記識別要素（１）の形成後に、前記装置は、不活性雰囲気で密封されたケース（casing）にパッケージされることを特徴とする請求項１又は２に記載の方法。
【請求項４】
前記パッケージケースにゲッターが配置されることを特徴とする請求項３に記載の方法。
【請求項５】
請求項１乃至４のいずれかに記載の方法で得られる識別装置であって、少なくとも１つの有機ダイオードと、電界発光で見えるランダムに分布した黒点の形状である複数の識別要素（１）とを備えることを特徴とする識別装置。
【請求項６】
前記黒点のサイズはランダムであることを特徴とする請求項５に記載の装置。
【請求項７】
スクリーンを形成する複数の有機ダイオードを備えることを特徴とする請求項５又は６に記載の装置。
【請求項８】
請求項５乃至７のいずれかに記載の装置の使用方法であって、ダイオードの電源を入れ、黒点の表面分布を測定し、この分布と、識別のために物体と関連付けられている事前に記録された画像とを比較することを特徴とする方法。
【国際調査報告】
2011509449.tif 000007
2011509449.tif 000008
2011509449.tif 000009
2011509449.tif 000010